(57)【要約】      （修正有）【課題】収容した各物品の内容を購買者によって見やすい構造にするとともに、展示のための専用什器を必要としない商品容器を提供。【解決手段】光ディスクを収容した矩形ケースと、菓子等の第１の物品と、小型の人形や玩具等の第２の物品とを展示可能に収容するものであり、台紙３と台紙３に装着する薄肉の透明カバー５とによって構成され、透明カバー５と台紙３との間には、透明カバー５を変形させることによって形成した収容空間が設けられ、収容空間は、台紙の下方に配置した矩形ケースを収容するケース収容部１７と、当該ケース収容部１７の下端両側にそれぞれ突出させて形成した第１の物品を収容する第１の物品収容部１９および第２の物品を収容する第２の物品収容部２１を有し、突出させた第１および第２の物品収容部１９，２１の底面には、台紙を略直角方向に起立させるように接地する接地部が形成されている。【選択図】図１
2005138847.tif 000002
【特許請求の範囲】
【請求項１】
音楽、映画、ゲームプログラム等のソフトを記録した光ディスクを収容した矩形ケースと、菓子等の第１の物品と、小型の人形や玩具等の第２の物品とを展示可能に収容する物品収容容器であって、
台紙と当該台紙に装着する薄肉の透明カバーとによって構成されており、
前記透明カバーと前記台紙との間には、透明カバーを変形させることによって形成した収容空間が設けられており、
前記収容空間は、台紙の下方に寄せて配置した前記矩形ケースを収容するケース収容部と、当該ケース収容部の下端両側にそれぞれ突出させて形成した前記第１の物品を収容する第１の物品収容部および前記第２の物品を収容する第２の物品収容部を有し、
前記突出させた第１および第２の物品収容部の底面には、前記台紙を略直角方向に起立させるように接地する接地部が形成されていることを特徴とする物品収容容器。
【請求項２】
音楽、映画、ゲームプログラム等のソフトを記録した光ディスクを収容した矩形ケースと、菓子等の第１の物品と、小型の人形や玩具等の第２の物品とを展示可能に収容する物品収容容器であって、
台紙と当該台紙に装着する薄肉の透明カバーとによって構成されており、
前記透明カバーと前記台紙との間には、透明カバーを変形させることによって形成した収容空間が設けられており、
前記収容空間は、台紙の下方に寄せて配置した前記矩形ケースを収容するケース収容部と、当該ケース収容部の下端両側にそれぞれ突出させて形成した前記第１の物品を収容する第１の物品収容部および前記第２の物品を収容する第２の物品収容部を有し、
前記第１および第２の物品収容部の底面は、前記台紙に対して略直角方向を成す面となるように形成されており、第１および第２の物品収容部の底面と台紙の底側縁とが床面に接地することにより前記台紙を略直角に起立させるようになっていることを特徴とする物品収容容器。
【請求項３】
物品を収容する物品収容容器であって、
正面と直線状の底縁を有する台紙と、
当該台紙に正面方向から装着可能な薄肉の透明カバーであって、前記台紙に装着したとき前記台紙の正面から離れる方向に突出した収容空間を前記台紙の底縁に寄せて形成する前記透明カバーとからなり、
前記収容空間は、
前記台紙の底縁近傍に位置する底壁を有する第１の空間と、
前記第１の空間の底壁近傍に位置し、前記第１の空間より前記台紙の正面から離れる方向に突出し前記第１の空間より容積が小さい第２の空間とを有することを特徴とする物品収容容器。
【発明の詳細な説明】
【技術分野】
【０００１】
本願発明は、物品を展示可能に収容する物品収容容器に関する。
【背景技術】
【０００２】
従来、販売する物品を収容する容器として、ブリスターパッケージが知られている（特許文献１参照）。当該ブリスターパッケージは什器等に設けられたハンガーに掛けるための孔を有し、他のブリスターパッケージとともに当該孔用いてハンガーによって吊り下げられ展示されるものであった。
【０００３】
上記従来の物品収容容器はハンガーによる吊り下げを前提とした物品収容容器であり、容器自体を自立させて展示することはできなかった。また、複数の物品を一つの容器に収容した容器であって、収容した個々の物品が購買者からよく見えるように配慮された容器は知られていない。さらに、物品収容容器同士を向かい合わせに積み重ねたとき、収容された物品が破損しないように緩衝材等を挟んで積み重ねることはあるが、物品収容容器自体に衝撃を緩衝する部位を設けた容器は知られていない。
【特許文献１】特開２００２−１９３３２４号公報
【発明の開示】
【発明が解決しようとする課題】
【０００４】
本願発明は上記課題に鑑み発明されたものであって、ブリスターパッケージ特有の商品内容が見やすいという特徴を生かし、収容した各物品の内容を購買者によって見やすい構造にするとともに、展示のための専用什器を必要としない物品収容容器を提供することを課題とする。また、搬送、保管等の目的で複数個の物品収容容器を段ボール箱等に収容する場合であっても、容器同士を向かい合わせて積み重ねることにより収容物品の破損を防止可能な緩衝材等を必要としない物品収容容器を提供すること等をその課題とする。
【課題を解決するための手段】
【０００５】
上記課題を解決するために本願請求項１記載の発明は下記の構成を有する。すなわち、
音楽、映画、ゲームプログラム等のソフトを記録した光ディスクを収容した矩形ケースと、菓子等の第１の物品と、小型の人形や玩具等の第２の物品とを展示可能に収容する物品収容容器であって、
台紙と当該台紙に装着する薄肉の透明カバーとによって構成されており、
前記透明カバーと前記台紙との間には、透明カバーを変形させることによって形成した収容空間が設けられており、
前記収容空間は、台紙の下方に寄せて配置した前記矩形ケースを収容するケース収容部と、当該ケース収容部の下端両側にそれぞれ突出させて形成した前記第１の物品を収容する第１の物品収容部および前記第２の物品を収容する第２の物品収容部を有し、
前記突出させた第１および第２の物品収容部の底面には、前記台紙を略直角方向に起立させるように接地する接地部が形成されていることを特徴とする商品容器。
【０００６】
また、本願請求項２記載の発明は下記の構成を有する。すなわち、
音楽、映画、ゲームプログラム等のソフトを記録した光ディスクを収容した矩形ケースと、菓子等の第１の物品と、小型の人形や玩具等の第２の物品とを展示可能に収容する物品収容容器であって、
台紙と当該台紙に装着する薄肉の透明カバーとによって構成されており、
前記透明カバーと前記台紙との間には、透明カバーを変形させることによって形成した収容空間が設けられており、
前記収容空間は、台紙の下方に寄せて配置した前記矩形ケースを収容するケース収容部と、当該ケース収容部の下端両側にそれぞれ突出させて形成した前記第１の物品を収容する第１の物品収容部および前記第２の物品を収容する第２の物品収容部を有し、
前記第１および第２の物品収容部の底面は、前記台紙に対して略直角方向を成す面となるように形成されており、第１および第２の物品収容部の底面と台紙の底側縁とが床面に接地することにより前記台紙を略直角に起立させるようになっていることを特徴とする商品容器。
【０００７】
また、本願請求項３記載の発明は下記の構成を有する。すなわち、
物品を収容する物品収容容器であって、
正面と直線状の底縁を有する台紙と、
当該台紙に正面方向から装着可能な薄肉の透明カバーであって、前記台紙に装着したとき前記台紙の正面から離れる方向に突出した収容空間を前記台紙の底縁に寄せて形成する前記透明カバーとからなり、
前記収容空間は、
前記台紙の底縁近傍に位置する底壁を有する第１の空間と、
前記第１の空間の底壁近傍に位置し、前記第１の空間より前記台紙の正面から離れる方向に突出し前記第１の空間より容積が小さい第２の空間とを有する
ことを特徴とする物品収容容器。
【発明の効果】
【０００８】
本願発明に係る物品収容容器は以下に述べる効果を有している。
【０００９】
すなわち、収容した各物品の内容を購買者によって見やすく、専用什器を必要とせずに展示することができる効果を有する。
【００１０】
また、同時に収容する物品が音楽、ゲームソフト、映画等（以下「ソフト」という）を記録した光ディスク等の記録媒体であり、当該記憶媒体に格納されたソフトの内容を表した矩形ケース（以下「ケース」という）内のレーベル（印刷物等）の視認を妨げることがなく、他の物品を同時に収容することができるという効果を有している。
【００１１】
また、物品の収容空間は、当該物品収容容器を起立させるための脚として作用するとともに、積み重ね時においては他の物品収容容器との間に配置されるスペーサーとして作用する空間が設けられていることから、収容した物品に荷重をかけず破損させないという効果を有する。
【発明を実施するための最良の形態】
【００１２】
以下、本願発明に係る物品収容容器の一実施の形態を図を用いて説明する。図１は、本願発明に係る物品収容容器の外観斜視図を示し、図２は同物品収容容器の正面図、図３は同商品容器の側面図を表している。
【００１３】
図１〜３において、１は本願発明に係る物品収容容器を表している。物品収容容器１は、台紙３と当該台紙３に接着剤又は粘着テープ等によって取り付けられる透明カバー（以下「カバー体」という）５によって構成されている。
【００１４】
台紙３は、所定の剛性を有した厚紙によって形成され、直線状の底縁を有する矩形の紙板であり、上部中央に展示用什器の棒状ハンガーに吊り下げるための吊り下げ孔７が形成されたものである。当該台紙３の表面および裏面には、商品の名称、注意書き等の情報が印刷されている（図示せず）。
【００１５】
カバー体５は、所謂ブリスターと称される合成樹脂の薄肉板を、所定の成形型を用いて吸引等することにより凹凸加工し、当該凹凸の形状を利用して商品の外形に沿った収容部（収容空間）を形成したものである。
【００１６】
本実施の形態においては、カバー体５の左右両側縁９、１１は前記台紙３の両側縁のやや内側に配置されて取り付けられるようになっており、カバー体５の底側縁１３は前記台紙３の底側縁に沿ってやや内側に配置されるように形成されている。
【００１７】
カバー体５の幅および高さ（台紙３の長手方向）は、当該カバー体５内に収容するケース１５の形状に略合わせた寸法と形状に形成されている。本実施の形態では当該ケース１５はＣＤ、ＣＤ−ＲＯＭ、ＤＶＤといった光ディスクを収容する樹脂ケースであり、幅略１４３ｍｍ、高さ略１２５ｍｍ、厚さ略１０ｍｍ程度の寸法に形成された透明ケースである。なお、当該ケースの寸法は一つの例であり、当該形状に限定されるものではなく、記録媒体のディスクサイズ等によって適時変更されるものである。
【００１８】
カバー体５には、前記ケース１５を収容するケース収容部１７が形成されている。当該ケース収容部１７の形状は、後述する第１、第２の物品収容部を設けた位置を除き内部の高さが略１１ｍｍ、幅が略１４６ｍｍ、高さが略１２９ｍｍとなっており、前記ケース１５を若干の余裕をもって収容するようになっている。
【００１９】
カバー体５の中央部を除く下部両端には、カバー体５の表面を突出させることにより内部に空間を形成した第１の物品収容部１９および第２の物品収容部２１が設けられている。当該第１の物品収容部１９および第２の物品収容部２１は、収容する内容物に応じて形態を若干異ならせているが、台紙３表面からの高さは同じ高さとなるように形成されている。本実施の形態では、第１および第２の物品収容部の台紙３表面からの高さは、ケース収容部１７の表面部までの高さの２倍以上に形成されている。
【００２０】
また、第１の物品収容部１９および第２の物品収容部２１の底面には、それぞれ凸条部３１、３３が一体的に設けられている。当該凸条部は台紙３の表面に対して略直角をなす向きに形成されている。当該構成を採用することにより、商品容器１は凸条部３１、３３および台紙３の底縁を接地させ、台紙３が若干前傾するような姿勢で商品容器１を起立させることができるようになっている。
【００２１】
なお、上記の例では第１の物品収容部１９および第２の物品収容部２１の底面に凸条部３１、３３を一体的に設けることにより台紙３に対して直角に突出した部位を形成した。これに対して、第１の物品収容部１９および第２の物品収容部２１の底面全体を平面とし、当該底面を台紙３に対して直角となるような向きにすることにより、前記凸条部３１、３３を設けた場合のように台紙３が若干前傾するような姿勢で商品容器１を起立させることができるようになっている。このように、当該構造および前記構造の何れをも採用することができる。
【００２２】
上記構成により、下部両端に形成した第１の物品収容部１９および第２の物品収容部２１を設けた部位を除き、ケース１５の表面を覆うカバー体５の中央部分および当該中央部分から上縁部に亘る部分には何も設けられていないので、ケース１５の大半部分がカバー体５を介して視認可能となっている。
【００２３】
一般的なＣＤやＤＶＤ等の場合、ケース１５の正面部分には記憶媒体の内容を表す各種デザイン画、写真、その他コンテンツに関する種々の情報を印刷した印刷物（レーベル）が視認可能に設けられている。当該レーベルには、音楽であれば曲又はアルバムのタイトル、ゲームであればゲームタイトル、映画であれば題名等が印象的な表現として表され、
一瞬見ただけでソフトの内容が判別できるほどに人々に印象付けが行われ興味を抱かせるようにデザインされている。また、一般的にレーベルの下部両端は、記憶媒体の規格等をデザイン化して表したマークやソフトに関係しない記述的な情報が記載されていることが多く、当該部位を覆ったとしても購買者に対する印象を阻害することがない。したがって、これらケース１５表面の主要位置にあるデザインを他の物品収容部によって隠すことなく購買者に見せることができ、当該商品容器１に収容された製品に対する購買意欲を減衰させることなく効果的に展示を行うことができる作用を有する。
【００２４】
前記第１の物品収容部１９には錠剤状のラムネ菓子を複数入れた包装袋を収容し、当該商品容器１に収容した物品を菓子又は食品として販売することができるようになっている。また、第２の物品収容部２１には景品として小型人形、小型の玩具、その他装飾品等を可視的に収容し、商品容器１に収容した物品を玩具等としても販売することができるようになっている。特に、ケース１５に収容された記憶媒体のソフトに関連した景品類を前記第２の収容部に収容できるので、商品容器１に収容した記録媒体の購買意欲を惹起させることができるという効果を有する。
【００２５】
前記のように、第１の収容部等には菓子類を収容することができ、例えばゲームソフトや音楽ＣＤを同梱した場合であっても、スーパーマーケットやコンビニエンスストアの菓子コーナーや食品コーナーに置くことができるという流通上の効果が得られるようになっている。通常は、ゲームソフトであれば玩具売り場若しくはゲーム専門店や専用コーナー、音楽ＣＤであればＣＤ販売店等のように売り場が限られているので、特に何かのソフトを購入しようとする意志がなければ立ち入らない場合が多い。
【００２６】
前記ケース１５に同梱する記録媒体に、次期に正式販売を開始するゲームソフト、音楽、映画等の予告編やプロモーション的なコンテンツを格納して菓子売り場に展示することができれば、普段は専門店に出入りしない購買者層にも次期に発売が開始される各種ソフトの告知を行い興味を抱かせることができる。
【００２７】
また、この場合の予告編やプロモーション的なコンテンツは、各種ソフトを販売するための販促商品として扱われるので、菓子販売業者や玩具販売業者が安価に仕入れることができ、菓子・玩具を含めて例えば３８０円等といった低額にて購買者に提供することが可能である。
【００２８】
また、当該物品収容容器を使用することによりＣＤ販売店や、映画ソフト販売コーナー等ににも菓子や玩具を置くことができ、販売する物品や既存の流通ルートにとらわれず、流通ルートを横断するような商品の提供・販売を行うことができるという作用・効果を有している。
【００２９】
さらに、当該物品収容容器は、ハンガーに掛けたり自立させたりすることができ、種々の売り場の形態に対応することができる。このように当該流通ルートの拡大に貢献する構造となっている。
【００３０】
また、図４に示すように、第２の物品収容部２１は、物品を収容するための第１の空間と、第１の空間より前記台紙の正面から離れる方向に突出し前記第１の空間より容積が小さい第２の空間からなる。第２の空間はスペーサーとして機能し、２つの商品容器１を対向させて積み重ねたとき、第２の物品収容部２１の第２の空間によって互いの物品収容容器１間に空間を形成し、第１の空間内の物品を押圧しない構造になっている（本実施例の場合、ケース１５も直接は押圧されない構造となる。）。当該構造を採用することにより、複数個の物品収容容器１を段ボール箱等に詰めた場合であっても、積み重ねられた物品収容容器１による荷重、搬送時の振動等によって第２の物品収容部２１内の物品（および
ケース１５内の記憶媒体）に対して荷重がかからず、物品（および記録媒体）の破損を防止することができるという効果を有する。
【図面の簡単な説明】
【００３１】
【図１】本願発明に係る物品収容容器の外観斜視図である。
【図２】本願発明に係る物品収容容器の正面図である。
【図３】本願発明に係る物品収容容器の側面図である。
【図４】本願発明に係る物品収容容器を積み重ねた状体を表す説明図である。
【符号の説明】
【００３２】
１  物品収容容器
３  台紙
５  カバー体
７  吊り下げ孔
９  左側縁
１１  右側縁
１３  底側縁
１５  ケース（矩形ケース）
１７  ケース収容部
１９  第１の物品収容部
２１  第２の物品収容部
３１  凸条部
３３  凸条部
【図１】
2005138847.tif 000003
【図２】
2005138847.tif 000004
【図３】
2005138847.tif 000005
【図４】
2005138847.tif 000006